(57)【要約】【課題】筐体の組み立ての迅速化をはかり、かつ振動によって容易に内部品がずれないようにする。【解決手段】本発明にかかる電子機器の筐体は、蓋体部と底部を備えて、当該２つの構造体によりプリント回路板を挟みこんで組み立てられる、電子機器の筐体であって、蓋体部は、内部に向かって突出する複数の突出部を備え、突出部は段差部と当該段差部によって形成された面部とを有しており、２つの構造体がプリント回路板を挟みこんで組み立てられる際、プリント回路板の主面と突出部の面部とが対向し互いに押圧し合う結果、段差部と当該面部とによって、プリント回路板が筐体に対して固定化されることを特徴とする筐体である。【選択図】図５
2017157656.tif 000002
【特許請求の範囲】
【請求項１】
第１の構造体と第２の構造体を備えて、当該２つの構造体によりプリント回路板を挟みこんで組み立てられる、電子機器の筐体であって、前記第１の構造体は、内部に向かって突出する複数の突出部を備え、当該突出部は段差部と当該段差部によって形成された面部とを有しており、
前記２つの構造体がプリント回路板を挟みこんで組み立てられる際、前記プリント回路板の主面と当該面部とが対向し互いに押圧し合う結果、当該段差部と当該面部とによって、プリント回路板が筐体に対して固定化されることを特徴とする筐体。
【請求項２】
前記第１の構造体に対向する第２の構造体は、複数の第１スペーサおよび複数の第２スペーサを備え、前記プリント回路板は当該第１スペーサおよび第２スペーサに載置されるとともに、当該第２スペーサの頂部に設けられた突起構造が、前記プリント回路板に設けられた穴に嵌まることにより、前記プリント回路板が前記第２の構造体に仮固定される請求項１記載の筐体。
【発明の詳細な説明】
【技術分野】
【０００１】
本発明は、電子機器の筐体構造に関する。
【背景技術】
【０００２】
電子機器においては、電子部品を搭載したプリント回路基板をプラスチックや金属製の筐体に収容し、外部の機器と接続するための端子を筐体に取り付けるか、あるいは基板の一部を露出させる構造を取ることがもっぱらである。
【０００３】
筐体はほぼ箱状（矩形状）であり、中に基板を取り付けた状態で検査等を容易に行えるよう、上下２片（底部および蓋部）からなることが多い。この場合、基板を底部（または場合によっては蓋部）に固定させたうえで、その後底部と蓋部とを相互に固定させることとなる。固定は、ビス等で止めたり、爪を設けて係止させたりする（例えば、特許文献１）が、製造工程においてはできる限り短時間でこれら固定化作業が完了するような構造であることが望ましい。さらに小寸法のコンパクトな電子機器においては、かかる固定構造が簡単かつ省スペースであることが特に望ましい。
【０００４】
しかし、その一方で振動が激しい使用環境などでは、いったん固定化した筐体および基板の３片が振動により相互にずれることも考えられるので、信頼性の高い固定構造が求められる次第である。
【先行技術文献】
【特許文献】
【０００５】
【特許文献１】特開２００７−１５６５５３号公報
【発明の概要】
【発明が解決しようとする課題】
【０００６】
本発明は、かかる問題を踏まえて、迅速に組み立て可能でありながら、振動によって容易にずれることのない簡単かつ省スペースな構造の筐体を提案するものである。
【課題を解決するための手段】
【０００７】
本発明にかかる電子機器の筐体は、第１の構造体と第２の構造体を備えて、当該２つの構造体によりプリント回路板を挟みこんで組み立てられる電子機器の筐体であって、第１の構造体は、内部に向かって突出する複数の突出部を備え、突出部は段差部と当該段差部によって形成された面部とを有しており、２つの構造体がプリント回路板を挟みこんで組み立てられる際、プリント回路板の主面と突出部の面部とが対向し互いに押圧し合う結果、段差部と当該面部とによって、プリント回路板が筐体に対して固定化されることを特徴とする筐体である。
【０００８】
好ましくは、第１の構造体に対向する第２の構造体は、複数の第１スペーサおよび複数の第２スペーサを備え、プリント回路板は当該第１スペーサおよび第２スペーサに載置されるとともに、第２スペーサの頂部に設けられた突起構造が、プリント回路板に設けられた穴に嵌まることにより、プリント回路板が第２の構造体に仮固定される筐体である。
【０００９】
ここで第１の構造体および第２の構造体は、以下の実施の形態を説明する際に、それぞれ蓋体部および底部として説明する。
【発明の効果】
【００１０】
簡単かつ省スペースな筐体構造であっても、迅速に組み立て可能であり、振動によって容易に内部品がずれることを防止できる。
【図面の簡単な説明】
【００１１】
【図１】図１は、本発明の実施の形態にかかる電子機器の外観斜視図である。
【図２】図２は、本発明の実施の形態にかかる電子機器筐体蓋体部の内部改造を示す図である。
【図３（ａ）】図３（ａ）は、本発明の実施の形態にかかる電子機器筐体蓋体部の第２突出部の拡大図であり、手前２か所の第２突出部のものである。
【図３（ｂ）】図３（ｂ）は、本発明の実施の形態にかかる電子機器筐体蓋体部の第２突出部の拡大図であり、奥側２か所の第２突出部のものである。
【図４】図４は、本発明の実施の形態にかかる電子機器筐体底部の内部改造を示す図である。
【図５】図５は、蓋体部の中央突出部に設けられた切り欠き部とプリント回路板との位置関係を示す図である。
【図６】図６は、本発明の実施の形態にかかる電子機器筐体底部にプリント回路板を載置した図である。
【発明を実施するための形態】
【００１２】
以下の実施の形態で示される数値、構成要素、構成要素の配置位置などは、一例であり、発明の範囲内において種々の変形や変更が可能である。
【００１３】
図１は、本発明の実施の形態にかかる電子機器１の概観斜視図である。筐体（ケース）は、蓋体部１０１および底部１０２の２つの部分からなり、電子部品を配置した矩形のプリント回路板１１０は、これら蓋体部１０１および底部１０２により挟みこまれる。図１ではプリント回路板の一部分が、筐体の蓋体部を切り欠いた領域１４０から現れている。蓋体部１０１の上面には、短辺縁部近傍の２か所の穴部と、これより中央に位置する４か所の穴部が存在する。これらの穴は、図２に表された蓋体部１０１の内部構造を説明する際、突出部として詳しく説明する。
【００１４】
手前側の長辺の縁部の中央領域１４０は、インタフェース領域であり、様々なサイズの切り欠き部を設けている。インタフェース部の切り欠きは、いずれも基板に搭載されたＬＡＮコネクタ、電源コネクタおよび各種ＬＥＤ、リセットスイッチなどを筐体の外部から使用または視認するための目的である。また、蓋体部には多数の細長形状の放熱用穴が空けられており、プリント回路板に搭載された電子部品が発する熱を筐体外に放散させる。
【００１５】
図２は、当該蓋体部１０１の内部構造を説明するため、これを裏向けにした図である。蓋体部１０１は内部に６か所の突出部が設けられる。短辺に近い場所に位置する２か所の突出部（第１突出部１２０Ａおよび１２０Ｂ）には、蓋体部１０１を底部１０２と固定化させるための貫通穴が設けられており、蓋体部１０１は、これら第１突出部１２０Ａおよび１２０Ｂに対向した、底部１０２の突出部（１６０Ａおよび１６０Ｂ−後出）のネジ穴を用いて底部１０２にネジ止めされる。
【００１６】
中央寄りの４か所にある突出部（以下、第２突出部ともいう）は、プリント回路板１１０において対向する２辺の短辺縁部と接触する位置に設置される。手前２か所の第２突出部（１３０Ａおよび１３０Ｂ）は、組み立て時に底部１０２の表面に接触する高さを有し、かつ切り欠き部を備える。奥側２か所の第２突出部（１３０Ｃおよび１３０Ｄ）は、切り欠き形状こそ１３０Ａおよび１３０Ｂと差異があるものの、高さおよび切り欠きの長さは共通する。
【００１７】
図３（ａ）および図３（ｂ）は、それぞれ第２突出部１３０Ａおよび１３０Ｃの切り欠き部の形状を説明するための拡大図である。突出部は柱状をなし、図中最上面から長さｈにわたって切り欠き形状を有する。切り欠き長さｈは、４つの第２突出部１３０Ａ〜Ｄで共通する。第２突出部１３０Ａと１３０Ｃの柱状の構造が異なる（１３０Ａでは柱状構造の断面がＤ字形であり、１３０Ｃではほぼ円形である）のは、切り欠き部でプリント回路板を固定化するにあたり、プリント回路板との相対的位置関係が異なる（１３０Ａの切り欠き部はプリント回路板の辺部を押さえるのに対し、１３０Ｃの切り欠き部はプリント回路板の隅部を押さえる位置にある）からである。
【００１８】
図３（ａ）および（ｂ）における、切り欠きの終端面、すなわち図３（ａ）に示す面Ｓ１および図３（ｂ）に示すＳ２が、筐体を組み立てた際に、プリント回路板の主面と接触し、下向きに押圧する。また、切り欠き部の側面と面Ｓ１またはＳ２で形成される段差部により、プリント回路板の横方向の位置ずれも抑制され、結果としてプリント回路板が筐体に対して固定化されることとなる。なお、プリント回路板の第２突出部１３０Ｃにおいてはこの終端面Ｓ２が狭く十分な効果が得にくいため、ほぼ十字形をなした補助構造の上面Ｓ３によって、プリント回路板を補助的に押圧している。
【００１９】
また、第２突出部（１３０Ａ〜Ｄ）にも第１突出部１２０Ａおよび１２０Ｂと同様に、貫通孔が設けられているが、この貫通孔は、第１突出部１２０Ａ〜Ｂのものと役割が異なり、底部１０２の対向する場所に設けられた貫通孔とともに、当該電子機器を外部装置に固定するためのものである。
【００２０】
図４は、筐体の底部１０２の構造を示す図である。短辺の近傍に左右１か所ずつある突出部（第３突出部１６０Ａおよび１６０Ｂ）には、前出した、蓋体部１０１と底部１０２とを固定するためのネジ穴が設けられている。４か所の凹部１７０Ａ、１７０Ｂ、１７０Ｃおよび１７０Ｄは、貫通穴を有しており、底部と蓋体部とが組み立てられた際に蓋体部１０１の第２突出部と対向接触する部分である。当該貫通穴は、蓋体部１０１の第２突出部１３０Ａ〜Ｄに設けられた貫通穴とともに、本装置を外部装置に固定するために用いられる。
【００２１】
また、凹部１７０Ａおよび１７０Ｂの近傍には衝立形状の構造をした第１スペーサ１８０Ｂおよび１８０Ａがあり、さらに２か所の穴部１７０Ｃおよび１７０Ｄの近傍にはほぼ十字柱形状の第２スペーサ１８５Ｃおよび１８５Ｄが配置されている。図示しないが、底部１０２の手前縁部近傍の凹部１７０Ａおよび１７０Ｂの近傍にも同形状の第２スペーサ（１８５Ａおよび１８５Ｂ）が設けられている。２か所の第１スペーサおよび４か所の第２スペーサは、プリント回路板を筐体底部から高さ方向に所定の間隙を保って位置決めさせるためのものであり、かつ前出の蓋体部第２突出部と共に、プリント回路板を固定させる役割を担う。第２スペーサ１８５Ａ〜Ｄの頂部にはさらに小寸法の突出構造が設けられている。第２スペーサの４か所の位置は、プリント回路板の４隅の位置に対応しており、この突出構造は、後述するプリント回路板に設けられた位置決め穴にはまり込み、プリント回路板が筐体の底部からほぼ高さ２ｍｍの間隙を設けて配置されるようになる。しかしながら、プリント回路板に設けられた位置決め穴のサイズは突出構造のサイズより大きく、特に水平方向に完全にプリント回路板を固定させるには至らず、あくまでも仮固定のための構造である。
【００２２】
図５は、蓋体部１０１の中央突出部に設けられた切り欠き部とプリント回路板との関係を示す図である。図５は、見やすくするため通常の配置から上下を反転している。またプリント回路板上に搭載される部品は図より省略している。
【００２３】
図５において明らかなように、蓋体部１０１がプリント回路板を挟みこんで底部１０２と固定される際には、蓋体部１０１の第２突出部１３０Ａ〜Ｄの段差部にプリント回路板が嵌りこみ、図３（ａ）および（ｂ）で示した面部がプリント回路板の縁部主面を４か所で押圧し、プリント回路板を筐体内で固定化することとなる。第２突出部の手前側の２つの第２突出部１３０Ａ、１３０Ｂは、プリント回路板の短辺側縁部に接触する一方、奥側の第２突出部１３０Ｃ，１３０Ｄは、プリント回路板の２つの隅部に接触する配置としており、前出のとおり切り欠き形状が異なる原因であるが、突出部とプリント回路板との位置関係は適宜変更可能であり、これに応じて切り欠き部の形状も変わり得る。
【００２４】
なお、図５において、プリント回路板の４隅の位置に設けられた穴１９０Ａ〜Ｄは、前出の第２スペーサの頂部突出構造が、筐体を組み立てた際に嵌りこむ穴（プリント回路板仮固定穴）である。
【００２５】
本発明の筐体構造の理解のため、本発明に従って電子機器を組み立てる手順の一例を説明する。
（１）底部１０２を上向けにセットする。
（２）プリント回路板を底部１０２にセットする。このとき、プリント回路板の４か所に設けられたプリント回路板仮固定穴１９０Ａ〜１９０Ｄがそれぞれ第２スペーサに嵌って、プリント回路板は第１スペーサおよび第２スペーサによって支えられ、第２スペーサによって仮固定された状態となる。なお、図６はこの状態を示す斜視図である（プリント回路板上に搭載される部品は図より省略している）。
（３）蓋体部１０１を下向けにセットする。底部１０２と蓋体部１０１の外縁部に設けられた構造により，底部１０２と蓋体部１０１が縁部で嵌り込む。このとき、蓋体部１０１中央の第２突起部が４か所でプリント回路板を押圧し始める。
（４）蓋体部の短辺近傍の２か所の穴にビスを差し込み、底部とビス止めを行う。プリント回路板は蓋体部１０１の４か所の第２突起部で押圧されて、完全に固定化されることとなる。
【００２６】
（その他の実施形態）
第２スペーサの形状はほぼ十字柱状として説明した。これは、底部の成形工程の過程で起こる底部表面の「ヒケ」の現象を抑える目的であるが、当該第２スペーサの形状は十字柱状に限るものではない。
【００２７】
中央突出部に設けられた切り欠き部の高さは４つともに同寸として説明したが、これはプリント回路板を押圧・固定するための目的であるので、プリント回路板を第１および第２スペーサ上に仮設置したとき、プリント回路板の当該切り欠き部の面部に当接する領域の高さが４か所で異なる場合は、切り欠き部の高さを４か所で適宜調整すればよい。
【００２８】
切り欠き部上辺とプリント回路板とは直接当接するものとして説明したが、直接ではなく、スポンジやバネ等クッション構造体を差し挟んで、当接による衝撃を緩和してもよい。また、当接する部分の表面を粗面として、横滑り防止に効果的な表面構造としてもよい。
【産業上の利用可能性】
【００２９】
本発明の筐体は、プリント回路板などの内部に固定されて使用する回路部品を収容する場合などに有用である。
【符号の説明】
【００３０】
１  電子機器
１０１  蓋体部
１０２  底部
１１０  プリント回路板
１４０  インタフェース部
１２０Ａ、１２０Ｂ  第１突出部
１３０Ａ、１３０Ｂ、１３０Ｃ、１３０Ｄ  第２突出部
１６０Ａ、１６０Ｂ  底部突出部
１７０Ａ、１７０Ｂ、１７０Ｃ、１７０Ｄ  凹部
１８０Ａ、１８０Ｂ  第１スペーサ
１８５Ｃ、１８５Ｄ  第２スペーサ
１９０Ａ，１９０Ｂ，１９０Ｃ，１９０Ｄ  プリント回路板仮固定穴
【図１】
2017157656.tif 000003
【図２】
2017157656.tif 000004
【図３（ａ）】
2017157656.tif 000005
【図３（ｂ）】
2017157656.tif 000006
【図４】
2017157656.tif 000007
【図５】
2017157656.tif 000008
【図６】
2017157656.tif 000009